(57)【要約】【課題】安価で、比重が大きく、また加工性に優れ、かつ環境問題に対して有効な錘用長尺体およびそれを用いた沈子用ロープを提供することである。【解決手段】本発明にかかる錘用長尺体１００においては、金属球１０または金属楕円状体１０ａが連続的に配列され、金属球１０または金属楕円状体１０ａが合成樹脂層２０の皮膜により外包されている。沈子用ロープ５００は、錘用長尺体１００および複数のストランド２００から形成されている。【選択図】図１
2008306937.tif 000002
【特許請求の範囲】
【請求項１】
連続的に配列された金属球または金属楕円状体の外面に合成樹脂の皮膜層を形成したことを特徴とする錘用長尺体。
【請求項２】
前記金属球または前記金属楕円状体は、主にステンレス、銅および銅合金のいずれか１種または複数種からなることを特徴とする請求項１記載の錘用長尺体。
【請求項３】
前記連続的に配列され、隣接する金属球または金属楕円状体間の空隙が前記合成樹脂で充填されていることを特徴とする請求項１または請求項２記載の錘用長尺体。
【請求項４】
前記金属球または金属楕円状体と前記合成樹脂の皮膜層との間に、繊維層を設けたことを特徴とする請求項１または請求項２記載の錘用長尺体。
【請求項５】
請求項１乃至請求項４のいずれかに係る錘用長尺体と、
合成繊維からなる複数のヤーンを撚り合わせて形成された複数のストランドと、を含むことを特徴とする沈子用ロープ。
【請求項６】
前記錘用長尺体は、前記ストランドの長手方向に垂直な断面において中央部に配設されることを特徴とする請求項５に記載の沈子用ロープ。
【発明の詳細な説明】
【技術分野】
【０００１】
本発明は、漁業用途、オイルフェンス用途等に使用する沈子ロープの芯部、あるいは陸上ネット、シート等の下部に用いる錘用長尺体およびそれを用いた沈子用ロープに関する。
【背景技術】
【０００２】
従来、錘用長尺体に使用される金属として、安価で、比重が大きく、また加工性に優れた鉛が一般的である。例えば、錘用長尺体の具体的構造として、特許文献１に沈子綱の心索が開示されている。
【０００３】
特許文献１記載の沈子綱の心索においては、一定長さの鉛材を合成繊維等抗張力のある繊維で一定間隔に連結してなる数珠状の糸入り鉛線を、ポリエチレン等弾力性のある合成樹脂で被覆したことを特徴とする。
【０００４】
【特許文献１】特開２００１−１６９６８５号公報
【発明の開示】
【発明が解決しようとする課題】
【０００５】
しかしながら、特許文献１記載の沈子綱の心索に使用されている鉛は、特許文献１にも説明されているように、鉛中毒の原因となる有毒・有害物質である。したがって、鉛は、ＰＲＴＲ法、水質汚濁防止法等により規制物質に指定されており、ＲｏＨｓ指令では、使用禁止物質として規定されている。その結果、鉛を使用しない代替品が要求されつつある。
【０００６】
本発明の目的は、安価で、比重が大きく、また加工性に優れ、かつ環境問題に対して有効な錘用長尺体およびそれを用いた沈子用ロープを提供することである。
【課題を解決するための手段】
【０００７】
（１）
本発明に係る錘用長尺体は、連続的に配列された金属球または金属楕円状体の外面に合成樹脂の皮膜層を形成したものである。
【０００８】
本発明に係る錘用長尺体においては、金属球または金属楕円状体が連続的に配列され、金属球または金属楕円状体が合成樹脂の皮膜で外包されている。
【０００９】
この場合、連続的に一列に配設された金属球を用いることにより、屈曲性に優れた錘用長尺体を得ることができる。また、金属球または金属楕円状体を鉛以外の材質で構成することにより、安価で、比重が大きく、また加工性に優れ、かつ環境問題に対して有効となる。
【００１０】
（２）
金属球または金属楕円状体は、主にステンレス、銅および銅合金のいずれか１種または複数種からなってもよい。
【００１１】
この場合、金属球または金属楕円状体が、主にステンレスからなる場合水中または海水中で使用する場合に耐腐食性に優れるという効果がある。また、銅および銅合金を使用することにより、安価で、比重が大きく、また加工性に優れ、かつ環境問題に対して有効となる。なお、金属球または金属楕円状体は、表面処理を施したものであってもよい。この場合、確実に耐腐食性を向上させることができる。
【００１２】
（３）
連続的に配列され、隣接する金属球または金属楕円状体間の空隙が合成樹脂で充填されていてもよい。
【００１３】
この場合、隣接する金属球または金属楕円状体間の空隙を合成樹脂で充填させるので、合成樹脂の皮膜層内の空気を最大限減少させることができる。その結果、水中または海水中で錘用長尺体を使用する場合、不必要な浮力を発生させることを防止することができる。また、万一外傷等により錘用長尺体の合成樹脂の皮膜層が破損しても、金属球または金属楕円状体の飛散を防止することができる。
【００１４】
（４）
金属球または金属楕円状体と合成樹脂の皮膜層との間に、繊維層を設けてもよい。
【００１５】
この場合、繊維層内に金属球または金属楕円状体を連続的に配置させてから、合成樹脂の皮膜層を形成させることができるので、万一外傷等により錘用長尺体の合成樹脂の皮膜層が破損しても金属球または金属楕円体の飛散を防止することができる。
【００１６】
（５）
本発明に係る沈子用ロープは、請求項１乃至請求項４のいずれかに係る錘用長尺体と、合成繊維からなる複数のヤーンを撚り合わせて形成された複数のストランドと、を含むものである。
【００１７】
本発明に係る沈子用ロープは、錘用長尺体および複数のストランドから形成される。
【００１８】
この場合、連続的に配設された金属球を用いることにより屈曲性に優れた錘用長尺体を含む沈子用ロープを得ることができる。また、錘用長尺体を鉛以外の材質で構成することにより、安価で、比重が大きく、また加工性に優れ、かつ環境問題に対して有効な沈子用ロープを得ることができる。
【００１９】
（６）
錘用長尺体は、ストランドの長手方向に垂直な断面において中央部に配設されてもよい。
【００２０】
この場合、沈子用ロープは、錘用長尺体が中央に配設されたストランドからなる。その結果、錘用長尺体に対する直接的な外的損傷を防止することができる、これにより、金属球または金属楕円体の飛散を防止することができ、かつ水中または海水中に使用する場合において耐腐食性を高めることができる。
【発明を実施するための最良の形態】
【００２１】
以下、本発明に係る実施の形態について説明する。
【００２２】
（第１の実施の形態）
図１は、本発明に係る第１の実施の形態に係る錘用長尺体の構造の一例を示す模式図である。
【００２３】
図１に示すように、錘用長尺体１００は、金属球１０および合成樹脂層２０を含む。
【００２４】
図１に示す錘用長尺体１００は、連続的に配設された金属球１０の外周面に沿って合成樹脂層２０が形成されている。すなわち、合成樹脂層２０は、連続的に配設された金属球１０の間隙を埋設するように形成される。
【００２５】
図１の錘用長尺体１００は、例えば押出し成形により製造される。押出し成形機の中央部から金属球１０を連続的に排出させ、金属球１０の周囲の空気を吸引させつつ合成樹脂を押出す。それにより、金属球１０の周囲の空気がなくなり、金属球１０の間隙を埋設するように合成樹脂からなる皮膜（合成樹脂層２０）が形成される。
【００２６】
（第２の実施の形態）
図２は、本発明に係る第２の実施の形態に係る錘用長尺体の構造の他の例を示す模式図である。
【００２７】
図２に示すように、錘用長尺体１００ａは、金属楕円状体１０ａおよび合成樹脂層２０を含む。
【００２８】
図２に示す錘用長尺体１００ａは、連続的に配設された金属楕円状体１０ａの外周面に沿って合成樹脂層２０が形成されている。すなわち、合成樹脂層２０は、連続的に配設された金属楕円状体１０ａの間隙を埋設するように形成される。
【００２９】
図２の錘用長尺体１００ａは、図１の錘用長尺体１００と同様に、例えば押出し成形により製造される。押出し成形機の中央部から金属楕円状体１０ａを連続的に排出させ、金属楕円状体１０ａの周囲の空気を吸引させつつ合成樹脂を押出す。それにより、金属楕円状体１０ａの周囲の空気がなくなり、金属楕円状体１０ａの間隙を埋設するように合成樹脂からなる皮膜（合成樹脂層２０）が形成される。
【００３０】
（第３の実施の形態）
図３は、本発明に係る第３の実施の形態に係る錘用長尺体の構造のさらに他の例を示す模式図である。
【００３１】
図３に示す錘用長尺体１００ｂは、図１に示す錘用長尺体１００の構造にさらに繊維層３０を含む。
【００３２】
図３に示す錘用長尺体１００ｂは、連続的に配設された金属球１０の外周面に沿って繊維層３０が形成され、さらに繊維層３０の外側に合成樹脂層２０が形成されている。すなわち、繊維層３０および合成樹脂層２０は、連続的に配設された金属球１０の間隙を埋設するように形成される。
【００３３】
図３の錘用長尺体１００ｂは、例えば押出し成形により製造される。押出し成形機の中央部から予め繊維層３０に内包された金属球１０を連続的に排出させ、繊維層３０および金属球１０の周囲の空気を吸引させつつ合成樹脂を押出す。それにより、金属球１０の周囲の空気がなくなり、金属球１０の間隙を埋設するように繊維層３０が形成され、さらに繊維層３０の外側に合成樹脂からなる皮膜（合成樹脂層２０）が形成される。
【００３４】
以上のように、第１から第３の実施の形態に係る錘用長尺体１００，１００ａ，１００ｂにおいては、連続的に配設された金属球１０または金属楕円状体１０ａを用いることにより、屈曲性に優れた錘用長尺体１００，１００ａ，１００ｂを得ることができる。また、金属球１０または金属楕円状体１０ａを鉛以外の材質で構成することにより、安価で、比重が大きく、また加工性に優れ、かつ環境問題に対して有効となる。また、金属球１０または金属楕円状体１０ａが、主にステンレスから形成される場合、水中または海水中で使用する場合に耐腐食性に優れるという効果がある。また、銅および銅合金を使用することにより、安価で、比重が大きく、また加工性に優れ、かつ環境問題に対して有効となる。なお、金属球１０または金属楕円状体１０ａは、表面処理を施したものであってもよい。この場合、確実に耐腐食性を向上させることができる。
【００３５】
また、第１から第３の実施の形態に係る錘用長尺体１００，１００ａ，１００ｂにおいては、隣接する金属球１０または金属楕円状体１０ａ間の空隙を合成樹脂層２０で充填させるので、合成樹脂層２０の皮膜層内の空気を最大限減少させることができる。その結果、水中または海水中で錘用長尺体１００，１００ａ，１００ｂを使用する場合、不必要な浮力を発生させることを防止することができる。また、万一外傷等により錘用長尺体１００，１００ａ，１００ｂの合成樹脂層２０の皮膜層が破損しても、金属球１０または金属楕円状体１０ａの飛散を防止することができる。
【００３６】
さらに、錘用長尺体１００ｂにおいては、繊維層３０内に金属球１０または金属楕円状体１０ａを連続的に配置させてから、合成樹脂層２０の皮膜層を形成させることができるので、万一外傷等により、錘用長尺体の合成樹脂の皮膜層が破損しても金属球および金属楕円体の飛散を防止することができる。
【００３７】
（第４の実施の形態）
図４は、本発明に係る沈子用ロープの外観の一例を示す模式図であり、図５は、本発明に係る沈子用ロープの断面の一例を示す模式的断面図である。
【００３８】
図４および図５に示すように、沈子用ロープ５００は、第１の実施の形態に示した錘用長尺体１００および８本のストランド２００を含む。長尺体１００は、ロープ５００の中心に位置していても良い。
【００３９】
図５に示すように、沈子用ロープ５００は、８本のストランド２００を撚り合わせて形成される。ストランド２００は、合成繊維から成る複数のヤーンを撚り合わせて形成される。
【００４０】
なお、本実施の形態においては、８本のストランド２００を撚り合わせる場合について説明したが、これに限定されず、３本のストランド２００を撚り合わせてもよく、１２本のストランド２００を撚り合わせてもよく、他の任意の数のストランド２００を撚り合わせてもよい。
また、本実施の形態においては、第１の実施の形態に示した錘用長尺体１００を用いる場合について説明したが、これに限定されず、第２の実施の形態に示した錘用長尺体１００ａ，第３の実施の形態に示した錘用長尺体１００ｂのいずれか一つまたは複数を用いてもよい。
【００４１】
（第５の実施の形態）
図６は、本発明に係る沈子用ロープの外観の他の例を示す模式図であり、図７は、本発明に係る沈子用ロープの断面の一例を示す模式的断面図である。
【００４２】
図６および図７に示すように、沈子用ロープ５００ａは、第１の実施の形態に示した錘用長尺体１００を含む８本のストランド２００ａからなる。
【００４３】
図７に示すように、沈子用ロープ５００ａは、８本のストランド２００ａを撚り合わせて形成される。ストランド２００ａの中心（中央部）には、錘用長尺体１００が配設される。すなわち、錘用長尺体１００を中心として周囲に合成繊維からなる複数のヤーンが撚り合わされる。
【００４４】
なお、本実施の形態においては、８本のストランド２００ａを撚り合わせる場合について説明したが、これに限定されず、３本のストランド２００ａを撚り合わせてもよく、１２本のストランド２００ａを撚り合わせてもよく、他の任意の数のストランド２００またはストランド２００ａを撚り合わせてもよい。
また、本実施の形態においては、第１の実施の形態に示した錘用長尺体１００を用いる場合について説明したが、これに限定されず、第２の実施の形態に示した錘用長尺体１００ａ，第３の実施の形態に示した錘用長尺体１００ｂのいずれか一つまたは複数を用いてもよい。
【００４５】
以上のように、第４および第５の実施の形態に係る沈子用ロープ５００，５００ａは、連続的に配設された金属球１０を用いることにより屈曲性に優れた錘用長尺体１００を含む沈子用ロープ５００，５００ａを得ることができる。また、錘用長尺体１００を鉛以外の材質で構成することにより、安価で、比重が大きく、加工性および耐腐食性に優れ、かつ環境問題に対して有効な沈子用ロープ５００，５００ａを得ることができる。
【００４６】
また、沈子用ロープ５００ａは、錘用長尺体１００が中央に配設されたストランド２００ａからなる。その結果、錘用長尺体に対する直接的な外的損傷を防止することができる。これにより、金属球または金属楕円体の飛散を防止することができ、かつ、水中または海水中に使用する場合において耐腐食性を高めることができる。
【００４７】
なお、第４および第５の実施の形態においては、錘用長尺体１００を用いることとしたが、これに限定されず、錘用長尺体１００ａ，１００ｂを用いてもよく、一部に錘用長尺体１００を用い、他部に錘用長尺体１００ａ，１００ｂのいずれかまたは両者等、任意の組み合わせにおいて用いてもよい。
【００４８】
上記第１から第５の実施の形態においては、金属球１０が連続的に配列された金属球に相当し、金属楕円状体１０ａが連続的に配列された金属楕円状体に相当し、合成樹脂層２０が合成樹脂に相当し、繊維層３０が繊維層に相当し、錘用長尺体１００，１００ａ，１００ｂが錘用長尺体に相当し、ストランド２００，２００ａがストランドに相当し、沈子用ロープ５００，５００ａが沈子用ロープに相当する。
【００４９】
本発明は、上記の好ましい一実施の形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００５０】
【図１】本発明に係る第１の実施の形態に係る錘用長尺体の構造の一例を示す模式図
【図２】本発明に係る第２の実施の形態に係る錘用長尺体の構造の他の例を示す模式図
【図３】本発明に係る第３の実施の形態に係る錘用長尺体の構造のさらに他の例を示す模式図
【図４】本発明に係る沈子用ロープの外観の一例を示す模式図
【図５】本発明に係る沈子用ロープの断面の一例を示す模式的断面図
【図６】本発明に係る沈子用ロープの外観の他の例を示す模式図
【図７】本発明に係る沈子用ロープの断面の一例を示す模式的断面図
【符号の説明】
【００５１】
１０  金属球
１０ａ  金属楕円状体
２０  合成樹脂層
３０  繊維層
１００，１００ａ，１００ｂ  錘用長尺体
２００，２００ａ  ストランド
５００，５００ａ  沈子用ロープ
【図１】
2008306937.tif 000003
【図２】
2008306937.tif 000004
【図３】
2008306937.tif 000005
【図４】
2008306937.tif 000006
【図５】
2008306937.tif 000007
【図６】
2008306937.tif 000008
【図７】
2008306937.tif 000009